【手続補正書】
【提出日】平成21年11月20日(2009.11.20)
【手続補正１】
【補正対象書類名】特許請求の範囲
【補正対象項目名】全文
【補正方法】変更
【補正の内容】
【特許請求の範囲】
【請求項１】
平面が矩形をなすパレット台の四辺に沿って正面板と背面板及び左右の側面板を解体可能に組み立てて構成される組立式ボックスパレットにおいて、
正面板又は背面板と左右の側面板とが交わるコーナー部を形成する一方の面板の上部に、左右の縦辺部にラッチ棒を水平方向に貫通させる孔を有する軸受板が固着され、該軸受板に、ラッチ棒が水平方向にスライドし、回転もするように設置され、該ラッチ棒の先端部に他方の面板を止めるほぼ直角な爪部が形成されており、
前記ラッチ棒を手動操作するハンドルは、前記軸受板の左右の縦辺部より内側位置に一端を前記ラッチ棒へ固着して垂れ下がる左右の縦辺で構成され、
前記軸受板における左右の縦辺部の相対向する内側面部に、前記ハンドルを構成する左右の縦辺の前進位置及び後退位置を規定する位置決めストッパが設けられており、
前記位置決めストッパは、前記ハンドルを構成する縦辺を挟むハンドル受けを、軸受板を構成する左右の縦辺部の相対向する内側面部へ取り付けて構成され、各位置決めストッパには前記ハンドルの縦辺を規制する突起状のハンドル固定用凸部が設けられ、
当該面板のコーナー部の縦縁を形成する管状支柱の外側壁に、前記ラッチ棒の爪部を通過させる形状、大きさの通し長孔が略垂直な向きに形成され、
他方の面板のコーナー部材には、止め用長孔が、爪部を通過させる形状と大きさで、且つ前記ハンドルでラッチ棒を回転する角度の範囲内で同爪部と一致する向きに形成されており、
一方の面板に設置された前記ラッチ棒のハンドルを手前側へ回転してその縦辺が前記位置決めストッパの背を乗り越える高さにして前進させ、当該面板のコーナー部の管状支柱に形成した通し長孔から爪部を突き出させ、同爪部を前記他方の面板のコーナー部材の止め用長孔へ通し、同ハンドルの縦辺を前進位置の位置決めストッパへ納めて二つの面板を結合する組立が行われ、逆に前記ハンドルを手前側へ回転して前記爪部を前記止め用長孔から離脱させ、後退させて面板相互の結合を解き、同爪部は当該面板の管状支柱の通し長孔にも通し後退させて管状支柱の中空部内に納め、同ハンドルの縦辺を後退位置の位置決めストッパへ納める構成であることを特徴とする、組立式ボックスパレット。    
【手続補正２】
【補正対象書類名】明細書
【補正対象項目名】０００９
【補正方法】変更
【補正の内容】
【０００９】
上記従来技術の課題を解決するための手段として、請求項１記載の発明に係る組立式ボックスパレットは、
平面が矩形をなすパレット台１の四辺に沿って正面板２と背面板３及び左右の側面板４、５を解体可能に組み立てて構成される組立式ボックスパレットにおいて、
正面板２又は背面板３と左右の側面板４、５とが交わるコーナー部を形成する一方の面板２（又は３）の上部に、左右の縦辺部６ａ、６ｂにラッチ棒１５を水平方向に貫通させる孔を有する軸受板６が固着され、該軸受板６に、ラッチ棒１５が水平方向にスライドし、回転もするように設置され、該ラッチ棒１５の先端部に他方の面板４（又は５）を止めるほぼ直角な爪部１５ａが形成されており、
前記ラッチ棒１５を手動操作するハンドル７は、前記軸受板６の左右の縦辺部６ａ、６ｂより内側位置に、一端を前記ラッチ棒１５へ固着して垂れ下がる左右の縦辺７ａ、７ｂで構成され、
前記軸受板６における左右の縦辺部６ａ、６ｂの相対向する内側面部に、前記ハンドル７を構成する左右の縦辺７ａ、７ｂの前進位置及び後退位置を規定する位置決めストッパ８、９が設けられており、
前記位置決めストッパ８、９は、前記ハンドル７を構成する縦辺７ａ、７ｂを挟むハンドル受けを、軸受板６を構成する左右の縦辺部６ａ、６ｂの相対向する内側面部へ取り付けて構成され、各位置決めストッパ８、９には前記ハンドル７の縦辺７ａ、７ｂを規制する突起状のハンドル固定用凸部１２が設けられ、
当該面板２のコーナー部の縦縁を形成する管状支柱２ａの外側壁に、前記ラッチ棒１５の爪部１５ａを通過させる形状、大きさの通し長孔１０が略垂直な向きに形成され、
他方の面板４のコーナー部材４ａには、止め用長孔１１が、爪部１５ａを通過させる形状と大きさで、且つ前記ハンドル７でラッチ棒１５を回転する角度の範囲内で同爪部１５ａと一致する向きに形成されており、
一方の面板２に設置された前記ラッチ棒１５のハンドル７を手前側へ回転してその縦辺７ｂが前記位置決めストッパ８の背を乗り越える高さにして前進させ、当該面板２のコーナー部の管状支柱２ａに形成した通し長孔１０から爪部１５ａを突き出させ、同爪部１５ａを前記他方の面板４のコーナー部材４ａの止め用長孔１１へ通し、同ハンドル７の縦辺７ａを前進位置の位置決めストッパ８へ納めて二つの面板２、４を結合する組立が行われ、逆に前記ハンドル７を手前側へ回転して前記爪部１５ａを前記止め用長孔１１から離脱させ、後退させて面板相互の結合を解き、同爪部１５ａは当該面板２の管状支柱の通し長孔１０にも通し後退させて管状支柱２ａの中空部内に納め、同ハンドル７の縦辺７ｂを後退位置の位置決めストッパ９へ納める構成であることを特徴とする。    
【手続補正３】
【補正対象書類名】明細書
【補正対象項目名】００１０
【補正方法】変更
【補正の内容】
【００１０】
本発明に係る組立式ボックスパレットによれば、正面板又は背面板と左右の側面板とが交わるコーナー部の上部を結合する組立手段に関して、解体した各面板の両側縁に出っ張る物がない構成を実現できる。また、各面板の最大厚さを例えば２０ｍｍ位に制限した構成の範囲内でも十分に実施可能である。よって組立式ボックスパレットの用途、機能を十分に発揮させることができる。
【手続補正４】
【補正対象書類名】明細書
【補正対象項目名】００１４
【補正方法】変更
【補正の内容】
【００１４】
パレット台１の四辺に沿って正面板２と背面板３及び左右の側面板４、５の下部を解体可能に組み付ける手段について詳しく説明することは省くが、上述した従来一般の手段、例えば各面板の下部は、パレット台に鍵孔状に設けた止め孔へ、面板下部へ突出させたリベットを差し込む手法などが実施される。
【手続補正５】
【補正対象書類名】明細書
【補正対象項目名】００１５
【補正方法】変更
【補正の内容】
【００１５】
次に、正面板２又は背面板３と左右の側面板４、５とが交わるコーナー部の上部を結合する組立手段として、一方の面板、図示した実施形態の場合は正面板２に、水平方向にスライドし、回転もするラッチ棒１５が、同正面板２の外面へ固着した軸受板６の左右の縦辺部６ａ、６ｂに支持された形で設置されている（図３）。ラッチ棒１５は外径が９ｍｍ程度の鋼棒で作られており、その先端部は長さにして１７ｍｍぐらいの範囲が、他方の面板を止めるべくほぼ直角に曲げた爪部１５ａに形成されている。
【手続補正６】
【補正対象書類名】明細書
【補正対象項目名】００１６
【補正方法】変更
【補正の内容】
【００１６】
前記ラッチ棒１５を使用者が手動操作するハンドル７は、図示例の場合はやはり鋼棒をコ字形に加工した形状とされ、その左右の縦辺７ａ、７ｂが前記軸受板６の左右の縦辺部６ａ、６ｂより内側位置へ配置され、縦辺７ａ、７ｂの上端をラッチ棒１５へ溶接して垂れ下がり状態に取り付けられている（図３）。このハンドル７が図３及び図７のように垂れ下ったとき、前記爪部１５ａは、図４のように垂直線から一定の角度θだけ傾くが、正面板２のコーナー部に位置する角管支柱２ａの幅寸法以内にきっちり納る方向及び長さに曲げられている。
【手続補正７】
【補正対象書類名】明細書
【補正対象項目名】００１７
【補正方法】変更
【補正の内容】
【００１７】
当該正面板２の外面へ固着した上記軸受板６の左右の縦辺部６ａ、６ｂの相対向する内側面部には、前記ハンドル７の前進位置及び後退位置を規定し、拘束する位置決めストッパ８、９が設けられている。この位置決めストッパ８、９は、図５のように平面方向に見ると、上記ハンドル７の左右の縦辺７ａ、７ｂを挟む溝形を形成するハンドル受け部材を、各縦辺部６ａ、６ｂの内側面部へ取り付けて構成されている。
この位置決めストッパ８、９の背の高さ（一例として１６ｍｍ）をはじめ、上記のラッチ棒１５とその爪部１５ａ及び軸受板６、並びにハンドル７の厚さ等々は、正面板２の実質厚さｔ（図５、図７を参照、ｔ≒１９ｍｍ）の範囲内に納まる形状、構造および寸法とされている（図７参照）。
【手続補正８】
【補正対象書類名】明細書
【補正対象項目名】００２０
【補正方法】変更
【補正の内容】
【００２０】
上記の通り、当該正面板２のコーナー部の管状支柱２ａの外側壁面に垂直方向上向きに形成された通し長孔１０の向きと、ラッチ棒１５の爪部１５ａを角管状支柱２ａの中空部内へ引き込んで、ハンドル７の縦辺７ｂを後退位置の位置決めストッパ９に納めた際の爪部１５ａの向きとは、図４に示したように若干の角度θだけずれる構成とされている（図４の場合でθ≒１５゜）。そのため爪部１５ａを角管状支柱２ａの中空部内へ引き込んで納め、ハンドル７の縦辺７ｂを後退位置の位置決めストッパ９へ納めると、以後ラッチ棒１５がむやみと出入りする（ずり動く）不都合は生じない。ハンドル７の前記垂れ下がり位置をきっちり規制するために、前後の位置決めストッパ８、９には、ハンドル固定用の凸部１２が設けられている。
【手続補正９】
【補正対象書類名】明細書
【補正対象項目名】００２１
【補正方法】変更
【補正の内容】
【００２１】
他方の面板、即ち、図示の実施形態では左側の側面板４のコーナー部材４ａは、本実施例の場合、正面板２のコーナー部を形成する上記角管状支柱２ａの外側に被さるアングル形状の部材で構成されている。このコーナー部材４ａには、図６に示したように、前記ラッチ棒１５が水平方向にスライドすると突き当たる位置を基点（一端の半円部の中心）とする長円形状の止め用長孔１１が、前記の爪部１５ａを通過させ得る形状、大きさ（長さ）で、且つ前記ハンドル７でラッチ棒１５を前記角度θプラス９０°回転する角度αの位置（図６の角度θ＋αの位置）に、爪部１５ａと一致する水平横向きに形成されている。
【手続補正１０】
【補正対象書類名】明細書
【補正対象項目名】００２２
【補正方法】変更
【補正の内容】
【００２２】
したがって、本発明の場合、使用者がボックスパレットを組み立てるにあたっては、ハンドル７の操作でラッチ棒１５を前方へ突き出させ、その先端部の爪部１５ａを他方の面板（左側の側面板４）のコーナー部材４ａに設けてある止め用長孔１１へ通し、ハンドル７の縦辺７ａを前進位置の位置決めストッパ８へ図３のように納めることにより、隣合う二つの面板２、４のコーナー部を結合する組立てが行われる。逆に爪部１５ａを止め用長孔１１から離脱、後退させることによって二つの面板相互の解体が行われる。こうした解体時には更に、爪部１５ａを当該正面板２の角管状支柱５ａの外側面の通し長孔１０にも通して同角管状支柱２ａの中空部内にまで引き込んで納める（図３の点線図示を参照）。そして、ハンドル７の縦辺７ｂを後退位置の位置決めストッパ９へ納めることにより、当該正面板２は両側縁に出っ張る物がないように返送の準備が整えられる。
【手続補正１１】
【補正対象書類名】明細書
【補正対象項目名】００２５
【補正方法】変更
【補正の内容】
【００２５】
１    パレット台
２    正面板
３    背面板
４、５    側面板
６    軸受板
６ａ、６ｂ縦辺部
１５    ラッチ棒
１５ａ    爪部
７    ハンドル
７ａ、７ｂ縦辺
８、９    位置決めストッパ
１２    ハンドル固定用凸部
２ａ    管状支柱
１０    通し長孔
４ａ    コーナー部材
１１    止め用長孔
【手続補正１２】
【補正対象書類名】図面
【補正対象項目名】図３
【補正方法】変更
【補正の内容】
【図３】
2009220891.tif 000001